(57)【特許請求の範囲】
【請求項１】
電磁誘導方式の座標入力装置の具備する複数のセンサコイルへ高周波信号の電流を送出する電流送出回路において、
正の半波信号の高周波信号入力に相当する第１の高周波信号の電流を生成する第１の高周波信号送出回路と、
負の半波信号の高周波信号入力に相当する第２の高周波信号の電流を生成する第２の高周波信号送出回路と、
前記第１の高周波信号送出回路と前記複数のセンサコイルの各々との間に設けられかつ前記第１の高周波信号の電流を該複数のセンサコイルの各々に送出する第１の複数のドライバトランジスタと、
前記第２の高周波信号送出回路と前記複数のセンサコイルの各々との間に設けられかつ前記第２の高周波信号の電流を該複数のセンサコイルの各々に送出する第２の複数のドライバトランジスタと、
前記第１の複数のドライバトランジスタの各々について設けられかつ前記第１の複数のドライバトランジスタをオンオフさせる第１の複数のスイッチと、
前記第２の複数のドライバトランジスタの各々について設けられかつ前記第２の複数のドライバトランジスタをオンオフさせる第２の複数のスイッチと、
前記第１の複数のドライバトランジスタから送出される前記第１の高周波信号の電流と、前記第２の複数のドライバトランジスタから送出される前記第２の高周波信号の電流とを合成して前記複数のセンサコイルの各々に送出する手段とを有することを特徴とする座標入力装置のセンサコイルへの電流送出回路。
【請求項２】
前記第１の複数のドライバトランジスタの各々が、前記第１の高周波信号送出回路の出力にカスコード接続され、かつ、前記第２の複数のドライバトランジスタの各々が、前記第２の高周波信号送出回路の出力に対してカスコード接続されることを特徴とする請求項１に記載の座標入力装置のセンサコイルへの電流送出回路。
【請求項３】
前記第１の高周波信号送出回路及び前記第２の高周波信号送出回路が、それぞれＯＰアンプを備えたことを特徴とする請求項１又は２に記載の座標入力装置のセンサコイルへの電流送出回路。
【請求項４】
前記第１の高周波信号送出回路及び前記第２の高周波信号送出回路が、それぞれカレントミラー回路を備えたことを特徴とする請求項１又は２に記載の座標入力装置のセンサコイルへの電流送出回路。
【発明の詳細な説明】
【０００１】
【発明の属する技術分野】
本発明は、電磁誘導方式を用いた座標入力装置のセンサコイルへの電流送出回路に関する。
【０００２】
【従来の技術】
図３は、コードレスの位置指示器２００を具備する従来の座標入力装置の概略構成を模式的に示した図である。本図の座標入力装置は、電磁授受方式を採用しており、座標入力面上のＸ軸方向及びＹ軸方向にそれぞれ複数のセンサコイル群が並設されている。先ず、送信状態にあるセンサコイルに対して電流を送出することによりセンサコイルから交番磁界を送信し、この送信された交番磁界により、位置指示器２００に内蔵されるコイル若しくは共振回路が励振されることにより位置指示器２００から応答交番磁界が送信される。続いて、センサコイルからの交番磁界の送信を止めてセンサコイルを受信状態とし、応答交番磁界をセンサコイルにて受信する。そして、各センサコイルから得られた受信信号の強度分布を信号解析することにより、位置指示器２００の座標を算出することができる。
【０００３】
送信状態にあるセンサコイルへ送出される電流としては、高周波信号が用いられる。適宜の高周波信号発生器１２１が高周波信号を発生する。さらに、高周波信号を送出するために、又は受信信号を受け取るために、各センサコイルを選択するコイル切替手段を有する。また、各センサコイルの送信状態と受信状態とを切り替えるための送信／受信切替手段を有する。コイル切替手段と送信／受信切替手段は、別個に設けられる場合と兼用される場合とがあるが、通常、適宜スイッチ手段（アナログスイッチ等）が用いられている。受信信号は、受信回路１４５を介して信号解析部へ渡される。
【０００４】
電磁授受方式の詳細については、特公平２−５３８０５号、特開平８−２８６８１４、特開平８−２４９１０５等に開示されている。
【０００５】
図４（ａ）は、図３のセンサコイル群及び送受信回路をさらに詳細に示した図であり、高周波信号発生器１２１を含む送信回路部２２０と、コイル切替部２４０と、センサコイル群２６０と、受信回路部１４５とが表わされている。
【０００６】
送信回路部２２０においては、高周波信号発生器１２１から発生した信号Ｖｉｎを分離回路１５０が受け取る。分離回路１５０は、図４（ｂ）に示すように、信号Ｖｉｎを、正と負のバイアス電圧をそれぞれ加えた半波信号（それぞれ同図の最上部の波形と最下部の波形）とに波形分離する。そして、負の信号をＯＰアンプ１２０の正入力端子ＩＮ１８へ、正の信号をＯＰアンプ１２２の正入力端子ＩＮ２０へ入力する。ＯＰアンプ１２０及びＯＰアンプ１２２は、ＩＮ１８及びＩＮ２０にそれぞれ入力された信号電圧に相当する電圧が、Ｒ３０の下端及びＲ３２の上端に現れるよう制御する。抵抗Ｒ３０及びＲ３２には、発生した電位差をそれぞれの抵抗値で除算した電流が流れる。ＯＰアンプ１２０及びＯＰアンプ１２２は、入力した高周波信号に相当する高周波信号の電流を生成する役割を果たす。これらの生成された高周波信号の電流は、ドライバトランジスタ１２４及び１２６をそれぞれ経由して合成され、全波信号としてコイル切替部２４０へ送出される。
【０００７】
コイル切替部２４０は、センサコイル群２６０に含まれるセンサコイル１４０、１４２．．１４４の各々に対して一対ずつ接続される送信アナログスイッチ１２８、１３０・・１３２と、受信アナログスイッチ１３４、１３６．．１３８とを具備する。一つのセンサコイルを選択して送信状態とするには、当該センサコイルへ接続された送信アナログスイッチをオンとし、他のアナログスイッチはオフとする。また、一つのセンサコイルと選択して受信状態とするには、当該センサコイルへ接続された受信アナログスイッチをオンとし、他のアナログスイッチはオフとする。これらのアナログスイッチを順次オンオフ切替することにより、センサコイル１４０、１４２．．１４４へ順次、高周波信号を送出し、また、応答交番磁界による受信信号を順次取得することができる。応答交番磁界による受信信号は、応答交番磁界との電磁誘導作用によりセンサコイルに発生した誘導起電力に基づく電圧信号である。そして、センサコイルからの受信信号は、受信回路１４５を経て出力ＯＵＴ１４へ出力される。この出力信号が信号解析部へ渡され、座標算出処理が実行される。
【０００８】
【発明が解決しようとする課題】
上記に示した従来の方式では、各センサコイルに対して送信用及び受信用の一対のアナログスイッチがそれぞれ接続され、このアナログスイッチを介して高周波信号を送出していたため、アナログスイッチ自体のオン抵抗によって電圧ロスを生じ電力損になるために、送信信号の電流が低下してしまうという問題があった。特に低い電源電圧の下においては、送信信号の電流が十分に確保できなくなり、深刻な問題となる。
【０００９】
また、上記の従来の方式では、複数の送信アナログスイッチ又は複数の受信アナログスイッチが接続されることによる浮遊容量１６０又は１６２が大きくなるという問題もあった。特に、複数の送信アナログスイッチのもつ浮遊容量１５０は、高周波信号の送出時の出力インピーダンスを低下させ、定電流特性を悪化させることとなる。さらに、送信アナログスイッチの浮遊容量とセンサコイルとの共振現象が生じて共振周波数が低下することで、送信回路部の高周波信号発生器の安定性を確保することが難しくなる。
【００１０】
以上の現状に鑑み、本発明は、複数のアナログスイッチ、特に複数の送信アナログスイッチがセンサコイルへ接続されることによる種々の問題を解決することを目的とする。すなわち、送信アナログスイッチのオン抵抗による損失を生じない構成として送信信号の電流を十分に確保することを目的とする。また、送信アナログスイッチの浮遊容量の影響を無くすことにより高周波信号の送出時の出力インピーダンスの低下を防ぐと共に、送信アナログスイッチとセンサコイルとの好ましくない共振周波数の低下を防ぐことにより送信回路部の高周波信号発生器の安定性を確保することを目的とする。
【００１１】
【課題を解決するための手段】
上記の目的を達成するべく本発明は、以下の構成を提供する。
（１）本発明による座標入力装置のセンサコイルへの電流送出回路の一態様は、次の構成要素を有する。
（ａ）正の半波信号の高周波信号入力に相当する第１の高周波信号の電流を生成する第１の高周波信号送出回路。
（ｂ）負の半波信号の高周波信号入力に相当する第２の高周波信号の電流を生成する第２の高周波信号送出回路。
（ｃ）前記第１の高周波信号送出回路と前記複数のセンサコイルの各々との間に設けられかつ前記第１の高周波信号の電流を該複数のセンサコイルの各々に送出する第１の複数のドライバトランジスタ。
（ｄ）前記第２の高周波信号送出回路と前記複数のセンサコイルの各々との間に設けられかつ前記第２の高周波信号の電流を該複数のセンサコイルの各々に送出する第２の複数のドライバトランジスタ。
（ｅ）前記第１の複数のドライバトランジスタの各々について設けられかつ前記第１の複数のドライバトランジスタをオンオフさせる第１の複数のスイッチ。
（ｆ）前記第２の複数のドライバトランジスタの各々について設けられかつ前記第２の複数のドライバトランジスタをオンオフさせる第２の複数のスイッチ。
（ｇ）前記第１の複数のドライバトランジスタから送出される前記第１の高周波信号の電流と、前記第２の複数のドライバトランジスタから送出される前記第２の高周波信号の電流とを合成して前記複数のセンサコイルの各々に送出する手段。
【００１２】
（２）上記（１）の電流送出回路において、好適には、前記第１の複数のドライバトランジスタの各々が、前記第１の高周波信号送出回路の出力にカスコード接続され、かつ、前記第２の複数のドライバトランジスタの各々が、前記第２の高周波信号送出回路の出力に対してカスコード接続されることが好適である。
【００１３】
（３）本発明による座標入力装置のセンサコイルへの電流送出回路の更なる一態様は、上記態様において、前記第１の高周波信号送出回路及び前記第２の高周波信号送出回路が、それぞれＯＰアンプを備えたことを特徴とする。
【００１４】
（４）本発明による座標入力装置のセンサコイルへの電流送出回路の更なる一態様は、上記態様において、前記第１の高周波信号送出回路及び前記第２の高周波信号送出回路が、それぞれカレントミラー回路を備えたことを特徴とする。
【００１５】
【発明の実施の形態】
以下、本発明の実施の形態について、図面を参照しながら詳細に説明する。
図１は、本発明の第１の実施形態を示しており、座標入力装置におけるセンサコイル電流送出回路を含む送信回路部２７０と、これに接続された複数のセンサコイル２４、２６．．２８を含むセンサコイル群２６０とを概略的に示す構成図である。尚、本発明による送信回路部２７０においても、前述の図４の従来例の送信回路部（図４の２２０）で示した高周波信号発生器（図４の１２１）と分離回路（図４の１５０）を含むが、これらについては図示を省略しており、正と負の半波信号がそれぞれ入力する各ＯＰアンプ１０と３８から後の部分のみを図示している。
【００１６】
図１に示す通り、本発明によるセンサコイル電流送出回路を含む送信回路部２７０は、図４の従来例の送信回路部（図４の２２０）の中に、コイル切替部（図４の２４０）の複数の送信アナログスイッチ（図４の１２８、１３０．．１３２）の機能を組み込んだものである。従って、図４の従来例に示されたような各センサコイルに直接接続された複数の送信アナログスイッチは存在せず、各センサコイルには、受信用コイル切替部２９０に含まれる複数の受信アナログスイッチ１３４、１３６．．１３８のみが接続されている。尚、受信用コイル切替部２９０及びこれに接続される受信回路１４５については、従来と同様であり、ＯＵＴ３から出力される受信信号が信号解析部へ渡され、座標算出が実行される。
【００１７】
ＯＰアンプ１０及びＯＰアンプ３８は、ＩＮ１及びＩＮ２にそれぞれ入力された信号電圧に相当する電圧が、Ｒ１０の下端及びＲ１２の上端に現れるよう制御する。抵抗Ｒ１０及びＲ１２には、発生した電位差をそれぞれの抵抗値で除算した電流が流れる。ＯＰアンプ１０及びＯＰアンプ３８は、入力した高周波信号に相当する高周波信号の電流を生成する役割を果たす。生成された高周波信号の電流は、ドライバトランジスタを介してセンサコイルへ送出される。
【００１８】
本発明によるセンサコイル電流送出回路では、この高周波信号の電流を送出するためのドライバトランジスタを、ＯＰアンプ１０と複数のセンサコイルの各々との間、及び、ＯＰアンプ３８と複数のセンサコイルの各々との間に設ける。ＯＰアンプ１０に接続された複数のドライバトランジスタ同士、及び、ＯＰアンプ３８に接続された複数のドライバトランジスタ同士は、互いに並列に接続されている。そして、各ドライバトランジスタをオンオフすることにより、それに接続された各センサコイルを選択又は非選択の状態とすることができる。
【００１９】
従って、図１の複数のドライバトランジスタ１２、１４．．１６（負の半波信号用）及び複数のドライバトランジスタ４０、４２．．４４（正の半波信号用）は、電流送出用のドライバトランジスタの機能と、センサコイル選択機能とを兼ね備えている。
【００２０】
各ドライバトランジスタ１２、１４．．１６及び４０、４２．．４４のオンオフは、各ドライバトランジスタのベースに接続されたスイッチ１８、２０．．２２及び４６、４８．．５０により行われる。スイッチがオンにされたドライバトランジスタにのみバイアス電流が供給され、当該ドライバトランジスタがオンとなる。
【００２１】
尚、従来例と同様に正の半波信号と負の半波信号は合成されて全波信号としてセンサコイルへ送出されるので、例えば、ドライバトランジスタ１２と４０が連動してオンオフされる一対のドライバトランジスタ（図４の従来例ではドライバトランジスタ１２４と１２６に相当）を構成しており、これらが同時にオンになったときセンサコイル２４へ高周波信号が送出される。以下、同様に、ドライバトランジスタ１４と４２が連動してオンオフされる一対のドライバトランジスタを構成し、ドライバトランジスタ１６と４４が連動してオンオフされる一対のドライバトランジスタを構成する。
【００２２】
図１のように構成したことにより、従来例における各センサコイルに接続する複数の送信アナログスイッチを設けることなく、送信状態時における各センサコイルの選択を行うことができる。これにより、ドライバトランジスタとセンサコイルの間に送信アナログスイッチが介在せず、高周波信号の電流を直接送出することができるので、従来例における複数の送信アナログスイッチのオン抵抗による電圧ロスが解消され、十分な電流が確保される。また、送信アナログスイッチをなくしたことで、これらの送信アナログスイッチによる浮遊容量もなくなり、高周波信号への悪影響が排除される。
【００２３】
尚、図１では、正及び負の半波の高周波信号の送出回路としてそれぞれＯＰアンプ１０及びＯＰアンプ３８を用いているが、これは一構成例であって、公知の回路技術を用いて他の同等の高周波信号送出回路を構成してもよい。
【００２４】
また、図１では、電源として正（＋Ｖ）及び負（−Ｖ）の２電源を用いて０Ｖを基準（コモン電位）として正負に振れる高周波信号を生成してセンサコイルへ送出しているが、他の実施例では、単電源（＋Ｖ）を用いて１／２Ｖを基準（コモン電位）として振れる高周波信号を生成してセンサコイルへ送出してもよい。よって、本明細書において、「正の半波信号」及び「負の半波信号」という場合の「正」及び「負」は、吸い込み及び吐き出しに対応する正負を意味するものとする。
【００２５】
さらにまた、図１では、正及び負の半波の高周波信号を合成して全波信号としてセンサコイルへ送出しているが、他の実施例では、正又は負のいずれかのみで直流を重畳した交流信号を生成し、その交流信号をセンサコイルへ送出することでも交番磁界を発生させ、応答交番磁界を受け取ることは可能である。この場合は、図１の送信回路部２７０の上半分（ＯＰアンプ１０を含む構成）若しくは下半分（ＯＰアンプ３８を含む構成）のいずれかのみの構成で足りる。
【００２６】
さらにまた、図１におけるトランジスタは、バイポーラトランジスタに限られずＦＥＴ等、他のトランジスタでもよい。
【００２７】
次に、図２は、本発明の第２の実施形態を示しており、座標入力装置におけるセンサコイル電流送出回路を含む送信回路部２８０と、これに接続された複数のセンサコイル２４、２６．．２８を含むセンサコイル群２６０とを概略的に示す構成図である。尚、第２実施形態の送信回路部２８０においても、前述の第１の実施形態と同様に、図４の従来例の送信回路部（図４の２２０）で示した高周波信号発生器（図４の１２１）と分離回路（図４の１５０）を含むが、これらについては図示を省略しており、正及び負の半波信号のそれぞれの入力端子ＩＮ１及びＩＮ２から後の部分のみを図示している。尚、この実施の形態では、入力端子ＩＮ１及びＩＮ２へ入力する半波信号が、電流信号となる回路例を示している。また、図１の第１の実施形態と同一の構成要素については同じ符号で示す。
【００２８】
上記の第１の実施形態の送信回路部では、高周波信号送出回路としてＯＰアンプを用いたが、第２の実施形態の送信回路部２８０では、負の半波信号の高周波信号送出回路２８２としてトランジスタ６０、６２及び６４で構成する３トランジスタ型カレントミラー回路を用いており、正の半波信号の高周波信号送出回路２８４としてトランジスタ１０８、１１０及び１１２で構成する３トランジスタ型カレントミラー回路を用いている。高周波信号送出回路２８２及び２８４は、入力した高周波信号に相当する高周波信号の電流を生成する役割を果たす。
【００２９】
３トランジスタ型カレントミラー回路では、例えば、高周波信号送出回路２８２のトランジスタ６４のバイアス電流として負の半波の高周波信号が入力され、この高周波信号に相当する電圧によりトランジスタ６０を駆動し、トランジスタ６０により増幅される。抵抗Ｒ１４には、発生した電位差を抵抗値で除算した電流が安定して流れ、トランジスタ６０の出力から高周波信号の出力電流が送出される。このように、高周波信号送出回路２８２は、半波の高周波信号の増幅動作を行い、安定した電流の送出を実現する。高周波信号送出回路２８４についても同様である。
【００３０】
第２の実施形態の特徴は、高周波信号送出回路２８２の出力端子に接続される複数のドライバトランジスタ６６、６８．．７０（これら複数のドライバトランジスタ同士は互いに並列に接続されている）が、当該回路２８２に対してカスコード接続されることである。同様に、高周波信号送出回路２８４の出力端子に接続される複数のドライバトランジスタ１０２、１０４．．１０６（これら複数のドライバトランジスタ同士は互いに並列に接続されている）もまた、当該回路２８４に対してカスコード接続される。これは、前述の従来例及び図１の第１の実施形態におけるドライバトランジスタの接続方式とは異なる特徴的接続方式である。
【００３１】
具体的には、高周波信号送出回路２８２の出力トランジスタ６０に対してドライバトランジスタ６６、６８．．７０がカスコード接続され、また、高周波信号送出回路２８４の出力トランジスタ１１２に対してドライバトランジスタ１０２、１０４．．１０６がカスコード接続されている。
【００３２】
このようにカスコード接続すると、高周波信号送出回路２８２が直接センサコイルを駆動せず、また、高周波信号送出回路２８４についても直接センサコイルを駆動しないこととなる。斯かるカスコード接続により、各ドライバトランジスタ６６、６８．．７０が、高周波信号送出回路２８２の出力トランジスタ６０を、各ドライバトランジスタの出力端子に現れる電圧変動からシールドする役割を果たす。同様に、各ドライバトランジスタ１０２、１０４．．１０６は、高周波信号送出回路２８４の出力トランジスタ１１２を、各ドライバトランジスタの出力端子に現れる電圧変動からシールドする役割を果たす。
【００３３】
従って、高周波信号送出回路２８２は、各ドライバトランジスタ６６、６８．．７０に浮遊容量があってもセンサコイルに対してほとんど影響がない。同様に、高周波信号送出回路２８４は、各ドライバトランジスタ１０２、１０４．．１０６に浮遊容量があってもセンサコイルに対してほとんど影響がない。また、カスコード接続された各ドライバトランジスタは、センサコイルのインピーダンスの変動による影響を受けにくいため、一定の電流出力を保持することができる。さらに、高周波信号送出回路自体の動作も安定する。
【００３４】
そして、第２の実施形態においても、複数のドライバトランジスタの各々が、複数のセンサコイルの各々に接続されており、各ドライバトランジスタをオンオフすることにより各センサコイルを選択又は非選択の状態することができる。すなわち図２の複数のドライバトランジスタ６６、６８．．７０（負の半波信号用）及び複数のドライバトランジスタ１０２、１０４．．１０６（正の半波信号用）も、第１の実施形態と同様に電流送出用のドライバトランジスタの機能と、センサコイル選択機能とを兼ね備えている。
【００３５】
各ドライバトランジスタ６６、６８．．７０及び１０２、１０４．．１０６のオンオフは、各ドライバトランジスタのベースに接続されたスイッチ７２、７４．．７６及び９６、９８及び１００により行われる。スイッチがオンにされたドライバトランジスタにのみバイアス電流が供給され、ドライバトランジスタがオンとなる。バイアス電流供給用の適宜の電源７８、９４がそれぞれ設けられる。尚、正の半波信号と負の半波信号が合成されて全波信号としてセンサコイルへ送出されるように、例えば、ドライバトランジスタ６６と１０２が連動してオンオフされ、そしてドライバトランジスタ６８と１０４が連動してオンオフされる点は、第１の実施形態と同様である。すなわち、複数のセンサコイルの各々に対応させて設けた各ドライバトランジスタに駆動用スイッチを設けることにより、各ドライバトランジスタが、電流送出機能とセンサコイル選択機能を兼ね備えている。これにより、従来の送信アナログスイッチが省かれ、送信アナログスイッチに起因する浮遊容量の解消が実現された。この結果、高周波信号の送出電流が十分かつ安定に確保される。
【００３６】
このように第２の実施形態でも、第１の実施形態と同様に、送信アナログスイッチを省いたことによる浮遊容量解消の効果が得られる。特に、第２の実施形態では、高周波信号送出回路が、その負荷となるセンサコイルを直接駆動しないことから、出力電圧が一定に保持されて安定化する。また、高周波信号送出回路の出力に対してカスコード接続されたドライバトランジスタは、センサコイルのインピーダンス変動の影響を受け難く、ドライバトランジスタに浮遊容量があってもセンサコイルに対してほとんど影響がない。
【００３７】
尚、図２では負及び正の半波の高周波信号送出回路２８２及び２８４の好適例として、３トランジスタ型カレントミラー回路を用いているが、公知の回路技術を用いて他の同等の高周波信号送出回路を構成してもよい。
【００３８】
また、図２では、電源として正（＋Ｖ）及び負（−Ｖ）の２電源を用いて０Ｖを基準（コモン電位）として正負に振れる高周波信号を生成してセンサコイルへ送出しているが、他の実施例では、単電源（＋Ｖ）を用いて１／２Ｖを基準（コモン電位）として振れる高周波信号を生成してセンサコイルへ送出してもよい。
【００３９】
さらにまた、図２では、正及び負の半波の高周波信号を合成して全波信号としてセンサコイルへ送出しているが、他の実施例では、正又は負のいずれかのみで直流を重畳した交流信号を生成し、その交流信号をセンサコイルへ送出することでも交番磁界を発生させ、応答交番磁界を受け取ることは可能である。この場合は、図２の送信回路部２８０の上半分（高周波信号送出回路２８２を含む構成）若しくは下半分（高周波信号送出回路２８４を含む構成）のいずれかのみの構成で足りる。
【００４０】
さらにまた、図２におけるトランジスタは、バイポーラトランジスタに限られずＦＥＴ等、他のトランジスタでもよい。
【００４１】
【発明の効果】
以上のように、本発明の第１の実施形態によれば、複数のセンサコイルの各々に対応させて設けた各ドライバトランジスタに駆動用スイッチを設けることにより、各ドライバトランジスタが、電流送出機能とセンサコイル選択機能を兼ね備えることとなる。これにより、従来の送信アナログスイッチを省くことができたことから、送信アナログスイッチに起因する電圧ロス（オン抵抗損失）及び浮遊容量の解消が実現された。この結果、高周波信号の送出電流が十分かつ安定に確保される。
【００４２】
また、本発明の第２の実施形態によれば、高周波信号送出回路の出力に対して複数のドライバトランジスタをカスコード接続することにより、高周波信号送出回路がその負荷となるセンサコイルを直接駆動することが回避され、出力電圧が一定に保持されて安定化する。また、カスコード接続されたドライバトランジスタは、センサコイルのインピーダンス変動の影響を受けにくい。さらに、ドライバトランジスタに浮遊容量があってもほとんど影響がない。これにより、高周波信号送出回路の出力が一定に保持され、安定化する。
【図面の簡単な説明】
【図１】本発明による座標入力装置におけるセンサコイル電流送出回路の第１の実施形態を示す回路図である。
【図２】本発明による座標入力装置におけるセンサコイル電流送出回路の第２の実施形態を示す回路図である。
【図３】従来の座標入力装置の概略構成を示す図である。
【図４】従来の座標入力装置におけるセンサコイル電流送出回路の一例を示す回路図である。
【符号の説明】
１０  ＯＰアンプ
１２、１４．．１６  ドライバトランジスタ
１８、２０．．２２  スイッチ
２４、２６．．２８  センサコイル
４０、４２．．４４  ドライバトランジスタ
４６、４８．．５０  スイッチ
６０、６２．．６４  トランジスタ
６６、６８．．７０  ドライバトランジスタ
７２、７４．．７６  スイッチ
１０２、１０４．．１０６  ドライバトランジスタ
７８、９４  電源
９６、９８．．１００  スイッチ
１０８、１１０、１１２  トランジスタ
１２１  高周波信号発生器
１２８、１３０、１３２  送信アナログスイッチ
１３４、１３６、１３８  受信アナログスイッチ
１４５  受信回路
１５０  分離回路
２４０  コイル切替部
２２０、２７０、２８０  送信回路部
２６０  センサコイル群
２９０  受信用コイル切替部
【図１】
0004004799.tif 000002
【図２】
0004004799.tif 000003
【図３】
0004004799.tif 000004
【図４】
0004004799.tif 000005